(57)【要約】  硬質プラスチック部（３）、及び好適には圧縮部を備えている、湿式カミソリ又は安全カミソリ用の改善されたグリップ構造を設けられたハンドル（１）が開示されており、前記ハンドルは、ハンドルの前部の下側に設けられた隆起部（５）を備えている。
2008543516.tif 000002
【特許請求の範囲】
【請求項１】
一つの又はいくつかの刃を有する湿式カミソリ用又は安全カミソリ用の、硬質プラスチック部、及び好適には圧縮部が設けられた、改善されたグリップ構造を備えたハンドルであって、
前記ハンドルは、ハンドルの前部においてハンドルの下側に設けられた隆起部（５）を備え、
前記隆起部（５）は、前記一つの刃の刃先又は隆起部に最も近接した刃先から０．５〜２．５ｃｍの位置に設けられているハンドル。
【請求項２】
隆起部（５）が硬質プラスチック材料で作られている請求項１に記載のハンドル。
【請求項３】
ハンドル（１）の横断面が、ハンドル長の３０％以上に亘って、略Ｖ字形状である請求項１又は２に記載のハンドル。
【請求項４】
隆起部（５）の数が４〜２０個である請求項１から３のいずれか一項に記載のハンドル。
【請求項５】
前記隆起部（５）は、立方体、円錐台形状、又は半球形状である請求項１から４のいずれか一項に記載のハンドル。
【請求項６】
前記ゴムの隆起部の高さは一定である請求項１から５のいずれか一項に記載のハンドル。
【請求項７】
前記隆起部（５）の高さは、前記硬質プラスチックの表面上、０．２〜２．０ｍｍである請求項１から６のいずれか一項に記載のハンドル。
【請求項８】
隣接する２つの前記隆起部（５）の間隔は、０．２〜５．０ｍｍである請求項１から７のいずれか一項に記載のハンドル。
【請求項９】
前記隆起部（５）の幅（若しくは半球形状又はその種の形状の隆起部の直径）は、０．４〜４．０ｍｍである請求項１から８のいずれか一項に記載のハンドル。
【請求項１０】
ハンドルの上側の後半部分の表面の２％〜３０％は、エラストマー材料から作られる請求項１から９のいずれか一項に記載のハンドル。
【発明の詳細な説明】
【技術分野】
【０００１】
本発明は、湿式カミソリ又は安全カミソリに関するものである。本発明は特に、湿式カミソリ用又は安全カミソリ用の改善されたグリップ構造を備えた、人間工学に基づいたハンドルに関するものである。
【背景技術】
【０００２】
湿式カミソリ又は安全カミソリ（以下、安全カミソリと称する）の多くの種類が従来技術において知られている。カミソリは通常、ハンドル部を備えており、その前端部には１つ以上の刃を備えたカミソリ刃ユニットが配置されている。
【０００３】
ハンドル部の構造は、グリップの最適な位置のために重要であり、肌表面に対して、１以上の刃の最適な剃り角度を提供している。ハンドルの表面にはグリップ用のパッド又はリブが設けられている。
【０００４】
しかしながら、多くの既知のハンドルの種類は、特にハンドルが、石鹸を含んだ、及び濡れた状況で使用される場合には、グリップの特性が制限される。従って、グリップ用のパッド又はリブはエラストマーの圧縮性材料で作られることが多いが、それらの形状及び／又は大きさにより、剃り、特に精密な剃り、更にハンドルがカミソリ刃ユニットの近くで使用者の人差指と親指との間に挟まれているときの剃りは容易ではない。
【０００５】
いくつかの既知のタイプのハンドルは、良好な保持を得ることを可能にしているが、特に精密な剃りに関して、特に使用者がカミソリ刃ユニットの近くで人差指と親指との間にハンドルを挟んで保持するときの、更に良い品質を有するハンドルに関する研究が継続中である。
【０００６】
特許文献１には２本の細長いアームを備えているＶ字形状のカミソリが開示されており、各々のアームは頂点を形成するように連結されている一端を有し、各々のアームは頂点の反対側の遠位端部と；細長いアームの両遠位端部の間に回動可能に取り付けられている、可撓性を有する細長い刃部ハウジングと；このハウジングに取り付けられている少なくとも１つの細長い刃とを有し、刃部ハウジング及び取り付けられた刃は凹形状及び凸形状に屈曲して、使用者の体の輪郭に合うようにされている。
【０００７】
このカミソリは、細長く、可撓性を有し、曲線状の交差する部材を更に備え、この交差する部材は、アームの間で使用者の手に向かって弓形に曲げられ、隆起部が設けられたアームに接続されている。
【特許文献１】米国特許出願公開第２００４／００５５１５９号明細書
【発明の開示】
【発明が解決しようとする課題】
【０００８】
出願人は、ハンドルの前部において、ハンドル下側に隆起部が設けられている新しいタイプの単一アームのハンドルを設計した。
【０００９】
驚くべきことであり、意外なことであったが、本発明の新しいタイプのハンドルの使用によって、カミソリ刃ユニットは正確に案内されることが可能となり、結果として鼻の下又は耳の際のような肌の剃りにくい面において、非常に良い剃り味が得られるということがわかった。
【課題を解決するための手段】
【００１０】
それゆえ、本件出願の対象は、硬質プラスチック部、及び好適には圧縮部を備えた湿式カミソリ用又は安全カミソリ用の改善されたグリップ構造を備えたハンドルであって、前記ハンドルは、ハンドルの前部においてハンドルの下側に設けられた隆起部を備えている。前記隆起部は、ハンドルの面上に突出している。
【００１１】
「ハンドルの前部の」とは、隆起部が刃の刃先又は隆起部に最も近接した刃先から５ｃｍ以下、好適には０．５〜４．０ｃｍ、一層好適には０．５〜３．０ｃｍ、特に０．５〜２．５ｃｍ、更に０．５〜２．０ｃｍ以下に設けられていることを意図している。上記の距離は、隆起部の中央から算出される。
【００１２】
選択的な条件において、ハンドルの横断面は、ハンドル長の３０％以上、好適には５０％以上、一層好適には７０％以上、より一層好適にはハンドルの略全長に亘って略Ｖ字形状である。
【００１３】
隆起部の数は例えば、４〜２０、好適には６〜１４、一層好適には８〜１２、より一層好適には９〜１１である。
【００１４】
隆起部は、例えば立方体、又は円錐台形状のような任意の好適な形状を取ることができるが、別の選択的な条件においては、隆起部は半球形状である。専用の成形作業が整っている場合、ハンドルの型からの取出しの観点から、上記のデザインが特に好適である。さらに、略半球形状の隆起部は最大のグリップ効果を提供する。
【００１５】
隆起部の高さは一定であってよい。しかし、隆起部の高さは、ハンドルの後方から刃に向かって、より低い高さからより高い高さへ徐々に増加してもよい。若しくはその逆でもよい。
【００１６】
ゴムの隆起部の高さは、ハンドルの表面上で、例えば０．２〜２．０ｍｍ、好適には０．６〜１．６ｍｍ、一層好適には０．９〜１．１ｍｍであってよい。
【００１７】
２つの隣接する隆起部の間隔は、例えば、０．２〜５．０ｍｍ、好適には１．２〜４．２ｍｍ、一層好適には１．８〜３．７ｍｍであってよい。
【００１８】
隆起部の幅（若しくは半球形状又は類似形状の隆起部の直径）は、例えば０．４〜４．０ｍｍ、好適には１．２〜３．２ｍｍ、一層好適には１〜２ｍｍであってよい。
【００１９】
本発明のハンドルは、好適には射出成形された熱可塑性の非エラストマー材料からなる実質的に硬質の骨格部、及び射出成形されたエラストマー材料で作られた可撓性部を備えている、複合構造を有している。ハンドルの表面の、いくつかの場所は非エラストマー材料によって構成されており、他の場所はエラストマー材料によって構成されている。ハンドルの上側の後半部分に関しては、好適には表面の５０％以上、一層好適には６０％以上、より一層好適には７０％以上が硬質プラスチック材料で作られる。
【００２０】
隆起部は特に硬質プラスチック材料、好適には剛体の骨格部で使用される材料と同一の材料で作られていてよい。若しくはゴム材料（又はエラストマー材料）で作られてもよい。
【００２１】
尚、ハンドルの上側の後半部分に関しては、好適には表面の２％〜３０％、一層好適には５％〜３０％、より一層好適には５％〜２０％がエラストマー材料から作られる。
【００２２】
本発明を実施するための好適な条件下では、本ハンドルは２つのステップの工程で得られる。
【００２３】
本発明の対象は、硬質プラスチック材料の骨格部を設けるステップ、及び前記骨格部上のエラストマーのグリップ部を設けるステップを具備している、上述のカミソリのハンドルの製造方法でもあって、隆起部は、ハンドル前部の下側の表面上に設けられる。
【００２４】
本発明を実施するための他の好適な条件下では、溝がハンドルの前部のハンドルの骨格部に設けられ、プラスチックの硬質面の下から、ハンドルの下面上に開けられた溝穴を通じてエラストマー材料を供給することによって、ゴム製の隆起部を作ることができる。ハンドルの前部の硬質プラスチックの底面に設けられたゴムの隆起部は、このようにして得られる。
【００２５】
本発明を実施するための更なる好適な条件下では、ハンドルの前部の底面は、隆起部と同様にエラストマー材料によって構成されている。しかし、硬質プラスチックの隆起部を、前記エラストマー面上に形成することもできる。
【００２６】
本発明のシステムにおいて、「ゴム」という用語は、過度な力を必要としないで使用者による十分な圧縮を可能にする、好適にはエラストマープラスチック材料、一層好適には成形可能なエラストマー材料を示している。このような材料の例は、例えば当技術分野で周知のいずれかのエラストマー成分であり、特にグリップ部を形成するのに好適なエラストマー硬度範囲にあり、この硬度範囲はショアＡ硬度の範囲である。これはエラストマー及び熱可塑性エラストマー、及びそれらの混合物を含んでいる。好適なエラストマーは、ニトリルゴム（ＮＢＲ）、スチレンブタジエンゴム（ＳＤＲ）、エチレン・プロピレン３元共重合体（ＥＰＤＭ）、及び（互換性を有する）それらの混合物を含んでいる。好適な熱可塑性エラストマーの例は、スチレンブロック共重合体、例えば、スチレン・ブチレンブロック共重合体（ＳＢＳ）、スチレン・エチレン・ブチレンブロック共重合体（ＳＥＢＳ）、熱可塑性ポリウレタン、ポリエーテルブロックアミド、コポリエステル、熱可塑性ポリオレフィン（ＥＰＤＭ／ＰＰ，ＮＢＲ／ＰＰ…）、及び（互換性を有する）それらの混合物を含んでいる。さらに、前記エラストマー材料は１以上の添加物を含有することができる。添加物の例は、一般に抗酸化物質に分類される化学物質、ＵＶ安定剤、接着性調整剤（adhesion modifier）、臭気減少剤、及びその他当業者に周知である材料を含んでいる。添加物は、前記材料の加工性を改善し、その保管寿命及び使用寿命を拡張し、本質的に相互互換性を（inter-compatible）有さない基体「ポリマー製支持体」（substrate "polymeric supports"）への接着性を改善し、特有の典型的なエラストマー及びエラストマー合成物臭のような、特有の知覚性の異常を遅らせる。
【００２７】
本発明によるハンドルは、隆起部が、特に、濡れていて、湿気のある環境において正確な剃りが要求される場合、カミソリが上下逆に保持されている場合、一層好適にはグリップ位置によっては、人差指及び／又は親指が隆起部と接触している場合の、カミソリの操作性及び把持性を改善するので、ハンドルの下側に設けられた隆起部による有利な特性を有している。
【００２８】
隆起部は、特に精密な剃りをしている間に、親指が滑るのを防ぐ。
【００２９】
また、上述した形状及び寸法の隆起部のこのような構成を設けられたハンドルは、使用者に改善された感触の良さをさらに提供する。
【００３０】
上述した形状のハンドルを有している安全カミソリは、使用者が精密な剃りをしている間の最適な人間工学に基づいたグリップを保証する。
【００３１】
また、上記した隆起部を実施するための好適な条件は、上記にて構想された本発明の他の対象、特に上術のカミソリのハンドルを作るための方法にも適用される。
【００３２】
本発明の技術的範囲は、以下の記載を参照することによって、より良く理解することが可能であり、この記載の目的は、本発明の有利点を説明することである。
【発明を実施するための最良の形態】
【００３３】
図１を参照すると、安全カミソリは、使用者によって手で把持される細長い本体部を有したハンドル１を備えている。ハンドル１の前部は、図１に示されている。ハンドル１全体は、後端（図示せず）及び前端２の間をハンドルの本体に沿って測定した場合に、約１２ｃｍの長さを有している。ハンドル１は、過度な力を必要としないで使用者による圧縮を可能にする、成形可能な硬質プラスチック材料及び成形可能なエラストマー材料の部分的な層（図示せず）で作られている骨格部３を備えている。
【００３４】
安全カミソリは、プラスチックの本体に固定された複数の刃を設けられた硬質プラスチックの本体を有する、カミソリ刃ユニット４を含んでいる。
【００３５】
骨格部３に一体化された１０個の硬質プラスチックの隆起部５は、ハンドルの下面において、ハンドルの前方に向かって設けられており、前記下面上に突出している。４個の隆起部５が、ハンドルの対称長手軸に沿って整列しており、更に６個の隆起部５が、中心の隆起部の列の両側の曲線に沿って設けられている。
【００３６】
硬質プラスチックの隆起部５は骨格部３と同一の上記した硬質プラスチック材料で作られている。
【００３７】
図２に見られるように、安全カミソリはなだらかな曲線を描いたハンドル１を備えている。骨格部３と一体化した硬質プラスチックの隆起部５が、ハンドルの前部の下面上に形成されている。
【００３８】
隆起部５の概略の形状は半球形状である。ハンドルの前部の上面と下面は、なだらかに曲線を描いている。
【００３９】
カミソリは、剃りをしている間は使用者の指によって最適に案内される。
【００４０】
図３に見られるように、隆起部５は骨格部３とは図２のように一体化していないが、成形可能なエラストマー材料で作られている。成形可能なエラストマー材料の部分的な層はハンドルの下部に設けられており、隆起部５が前記成形可能なエラストマー材料の層と一体化されている。
【００４１】
本発明の実施の別の変形形態（図示せず）によれば、溝がハンドルの前部の骨格部の下部に設けられ、プラスチックの硬質面の下からハンドルの底面において開けられた溝穴を通じてエラストマー材料を供給することによって、ゴムの隆起部５が形成されるようになっている。ハンドルの前部の硬質プラスチックの下面に設けられているゴムの隆起部は、このようにして得られる。
【図面の簡単な説明】
【００４２】
【図１】本発明のハンドルの１実施形態による安全カミソリの前部の下面の図である。
【図２】本発明のハンドルの１実施形態による安全カミソリのハンドルの前部の側面図である。
【図３】図２の変形形態である。
【符号の説明】
【００４３】
１  ハンドル
２  前端
３  骨格部
４  カミソリ刃ユニット
５  隆起部
【図１】
2008543516.tif 000003
【図２】
2008543516.tif 000004
【図３】
2008543516.tif 000005
【国際調査報告】
2008543516.tif 000006
2008543516.tif 000007